(57)【要約】【課題】装置の更なる小型化を図ることが可能な測定装置及び測定方法を提供すること。【解決手段】本発明に係る測定装置は、被測定対象物の載置された測定対象領域からの光が結像される受光素子と、前記受光素子の周囲に環状に配設され、前記測定対象領域に対して光を放射する複数の発光素子と、を備え、前記複数の発光素子は、それぞれの前記発光素子からの放射発光の中心線が前記測定対象領域の略中心を通過するように、前記測定対象領域の法線に対して傾けて配設される。【選択図】図２
2012063269.tif 000002
【特許請求の範囲】
【請求項１】
測定対象物の載置された測定対象領域からの光が結像される受光素子と、
前記受光素子の周囲に環状に配設され、前記測定対象領域に対して光を放射する複数の発光素子と、を備え、
前記複数の発光素子は、それぞれの前記発光素子からの放射発光の中心線が前記測定対象領域の略中心を通過するように、前記測定対象領域の法線に対して傾けて配設される、測定装置。
【請求項２】
前記測定対象領域と前記受光素子との離隔距離に応じて、前記放射発光の中心線と前記測定対象領域の法線とのなす角度が設定される、請求項１に記載の測定装置。
【請求項３】
前記離隔距離が所定の閾値以下である場合、前記角度を４５°とし、前記離隔距離が所定の閾値超過である場合、前記角度を４５°未満とする、請求項２に記載の測定装置。
【請求項４】
前記測定対象領域は、前記受光素子と対向するように設けられる、請求項１に記載の測定装置。
【請求項５】
前記発光素子は、前記受光素子の周囲に、（９０／４Ｎ）°間隔で４Ｎ（Ｎ＝１以上の整数）個配設される、請求項１に記載の測定装置。
【請求項６】
前記測定対象領域に照射される前記放射発光の開口数は、０．２以下である、請求項１に記載の測定装置。
【請求項７】
前記複数の発光素子は、同一の波長特性を有する光を放射する、請求項１に記載の測定装置。
【請求項８】
前記複数の発光素子として、相異なるＮ種類の波長を有する光を放射する前記発光素子が、波長ごとに４個ずつ配設される、請求項５に記載の測定装置。
【請求項９】
相異なる５種類の波長を有する光を放射する前記発光素子が、前記受光素子の周囲に１８°間隔で２０個配設される、請求項８に記載の測定装置。
【請求項１０】
前記相異なる５種類の波長を有する光は、それぞれ、５００ｎｍ、５４０ｎｍ、５８０ｎｍ、６２０ｎｍ及び６６０ｎｍを中心波長とする、請求項９に記載の測定装置。
【請求項１１】
前記５８０ｎｍを中心波長とする光の半値全幅は、前記５００ｎｍ、５４０ｎｍ、６２０ｎｍ及び６６０ｎｍを中心波長とする光の半値全幅よりも小さい、請求項１０に記載の測定装置。
【請求項１２】
前記相異なるＮ種類の波長を有する光を放射する発光素子は、Ｎ個のパルスにより所定のパルス幅を有するように時分割で光を放射する、請求項８に記載の測定装置。
【請求項１３】
前記複数の発光素子は、それぞれ同時に所定のパルス幅を有するように白色光を放射する、請求項７に記載の測定装置。
【請求項１４】
前記受光素子の受光面は、Ｎ個の領域に区分されており、
各領域の上部には、相異なるＮ種類の波長を有する光を透過させる光学フィルタがそれぞれ設けられている、請求項７に記載の測定装置。
【請求項１５】
前記受光素子の受光面は、５個の領域に区分されており、
前記光学フィルタは、５００ｎｍ、５４０ｎｍ、５８０ｎｍ、６２０ｎｍ及び６６０ｎｍを中心波長とする光を透過させる、請求項１４に記載の測定装置。
【請求項１６】
前記５８０ｎｍを中心波長とする光の半値全幅は、前記５００ｎｍ、５４０ｎｍ、６２０ｎｍ及び６６０ｎｍを中心波長とする光の半値全幅よりも小さい、請求項１５に記載の測定装置。
【請求項１７】
前記光学フィルタには、コリメートされた前記測定対象領域からの拡散反射が入射する、請求項１５に記載の測定装置。
【請求項１８】
前記測定対象領域の大きさは、前記複数の発光素子から放射される光のスポットの大きさと略同一である、請求項１に記載の測定装置。
【請求項１９】
前記測定装置は、開口部が設けられた筺体の内部に配設されており、
前記測定対象領域は、前記開口部に載置された人間の皮膚面である、請求項１に記載の測定装置。
【請求項２０】
測定対象物の載置された測定対象領域からの光が結像される受光素子の周囲に環状に配設され、前記測定対象領域に対して光を放射する複数の発光素子から、前記発光素子のそれぞれからの放射発光の中心線が前記測定対象領域の略中心を通過するように、所定波長の光を放射させるステップと、
前記測定対象領域からの拡散反射光を前記受光素子で受光するステップと、
を含む、測定方法。
【発明の詳細な説明】
【技術分野】
【０００１】
本発明は、測定装置及び測定方法に関する。
【背景技術】
【０００２】
測定対象物に対して光を照射し、測定対象物からの反射光を測定することで、測定対象物を分析する分光測定方法が、従来より提案されている。かかる分光測定方法では、測定対象物からの反射光を漏らさず集光するために、積分球と呼ばれる光学装置が用いられることが多い。このような積分球を用いた分光測定方法では、大きく分けて以下の２種類のような測定手順が存在する。
【０００３】
（１）発光素子からの照射光を測定対象物に対して多角的に集光し、反射光を分光フィルタ前でコリメートして導光して、測定対象物の分光反射率を測定する。
（２）被測定対象物からの拡散反射を分光フィルタへ多角的に集光し、反射光を分光フィルタ前でコリメートして導光して、測定対象物の分光反射率を測定する。
【０００４】
また、照射光としてキセノンランプ等の白色光源を用い、測定対象物からの反射光を分光フィルタで数十波長に分光することが一般的に行われる。
【０００５】
また、例えば以下の特許文献１に記載されているように、積分球を用いずに、測定対象物からの光を測定する分光測定装置も提案されている。
【先行技術文献】
【特許文献】
【０００６】
【特許文献１】特表２００７−５３２１８３号公報
【発明の概要】
【発明が解決しようとする課題】
【０００７】
しかしながら、上述のような積分球を用いた分光測定装置は、積分球や反射光をコリメートするための光学素子を用いる必要があるため装置の小型化が困難であるという問題があった。また、照射光源として利用されるキセノン光源は、発光を得るために光源装置に対して高い電力を供給する必要があり、省電力化が困難であるとともに、数十波長分もの分光フィルタを設けるために、低コスト化が困難であるという問題があった。
【０００８】
また、上記特許文献１に記載の方法においても、回折格子を用いて測定対象物からの光を分光しているため、装置全体としての小型化を図ることが困難であるという問題があった。
【０００９】
そこで、本発明は、上記問題に鑑みてなされたものであり、本発明の目的とするところは、装置の更なる小型化を図ることが可能な、測定装置及び測定方法を提供することにある。
【課題を解決するための手段】
【００１０】
上記課題を解決するために、本発明のある観点によれば、測定対象物の載置された測定対象領域からの光が結像される受光素子と、前記受光素子の周囲に環状に配設され、前記測定対象領域に対して光を放射する複数の発光素子と、を備え、前記複数の発光素子は、それぞれの前記発光素子からの放射発光の中心線が前記測定対象領域の略中心を通過するように、前記測定対象領域の法線に対して傾けて配設される測定装置が提供される。
【００１１】
前記測定対象領域と前記受光素子との離隔距離に応じて、前記放射発光の中心線と前記測定対象領域の法線とのなす角度が設定されることが好ましい。
【００１２】
前記離隔距離が所定の閾値以下である場合、前記角度を４５°とし、前記離隔距離が所定の閾値超過である場合、前記角度を４５°未満とすることが好ましい。
【００１３】
前記測定対象領域は、前記受光素子と対向するように設けられることが好ましい。
【００１４】
前記発光素子は、前記受光素子の周囲に、（９０／Ｎ）°間隔で４Ｎ（Ｎ＝１以上の整数）個配設されることが好ましい。
【００１５】
前記測定対象領域に照射される前記放射発光の開口数は、０．２以下であることが好ましい。
【００１６】
前記複数の発光素子は、同一の波長特性を有する光を放射してもよい。
【００１７】
前記複数の発光素子として、相異なるＮ種類の波長を有する光を放射する前記発光素子が、波長ごとに４個ずつ配設されてもよい。
【００１８】
相異なる５種類の波長を有する光を放射する前記発光素子が、前記受光素子の周囲に１８°間隔で２０個配設されてもよい。
【００１９】
前記相異なる５種類の波長を有する光は、それぞれ、５００ｎｍ、５４０ｎｍ、５８０ｎｍ、６２０ｎｍ及び６６０ｎｍを中心波長とすることが好ましい。
【００２０】
前記５８０ｎｍを中心波長とする光の半値全幅は、前記５００ｎｍ、５４０ｎｍ、６２０ｎｍ及び６６０ｎｍを中心波長とする光の半値全幅よりも小さいことが好ましい。
【００２１】
前記相異なるＮ種類の波長を有する光を放射する発光素子は、Ｎ個のパルスにより所定のパルス幅を有するように時分割で光を放射してもよい。
【００２２】
前記複数の発光素子は、それぞれ同時に所定のパルス幅を有するように白色光を放射してもよい。
【００２３】
前記受光素子の受光面は、Ｎ個の領域に区分されており、各領域の上部には、相異なるＮ種類の波長を有する光を透過させる光学フィルタがそれぞれ設けられていてもよい。
【００２４】
前記受光素子の受光面は、５個の領域に区分されており、前記光学フィルタは、５００ｎｍ、５４０ｎｍ、５８０ｎｍ、６２０ｎｍ及び６６０ｎｍを中心波長とする光を透過させてもよい。
【００２５】
前記５８０ｎｍを中心波長とする光の半値全幅は、前記５００ｎｍ、５４０ｎｍ、６２０ｎｍ及び６６０ｎｍを中心波長とする光の半値全幅よりも小さいことが好ましい。
【００２６】
前記光学フィルタには、コリメートされた前記測定対象領域からの拡散反射が入射するようにしてもよい。
【００２７】
前記測定対象領域の大きさは、前記複数の発光素子から放射される光のスポットの大きさと略同一であってもよい。
【００２８】
前記測定装置は、開口部が設けられた筺体の内部に配設されており、前記測定対象領域は、前記開口部に載置された人間の皮膚面であってもよい。
【００２９】
また、上記課題を解決するために、本発明の別の観点によれば、被測定対象物の載置された測定対象領域からの光が結像される受光素子の周囲に環状に配設され、前記測定対象領域に対して光を放射する複数の発光素子から、前記発光素子のそれぞれからの放射発光の中心線が前記測定対象領域の略中心を通過するように、所定波長の光を放射させるステップと、前記測定対象領域からの拡散反射光を前記受光素子で受光するステップと、を含む測定方法が提供される。
【発明の効果】
【００３０】
以上説明したように本発明によれば、測定対象物からの反射光を測定する測定装置において、装置の更なる小型化を図ることが可能となる。
【図面の簡単な説明】
【００３１】
【図１Ａ】本発明の第１の実施形態に係る測定装置の全体構成を模式的に示した説明図である。
【図１Ｂ】同実施形態に係る測定装置の全体構成を模式的に示した説明図である。
【図２】同実施形態に係る測定装置が備える光学系の一例を示した説明図である。
【図３】設置角度θと受光素子で検出される反射光量との関係について示したグラフ図である。
【図４】設置角度θと受光素子で検出される反射光量との関係について示したグラフ図である。
【図５】発光素子の開口率と反射率との関係について示したグラフ図である。
【図６】皮膚の反射率の波長特性について示したグラフ図である。
【図７】皮膚の反射率の波長特性について示したグラフ図である。
【図８】中心波長の半値全幅と反射率との関係を示したグラフ図である。
【図９】同実施形態に係る発光素子の発光タイミングの一例について示した説明図である。
【図１０】本発明の第２の実施形態に係る測定装置が備える光学系の一例を示した説明図である。
【図１１】同実施形態に係る発光素子の発光タイミングの一例について示した説明図である。
【図１２】同実施形態に係る測定装置が備える光学系の一例を示した説明図である。
【図１３】本発明の各実施形態に係る測定装置の適用例を説明するための説明図である。
【図１４】本発明の各実施形態に係る測定装置の適用例を説明するための説明図である。
【発明を実施するための形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
なお、説明は、以下の順序で行うものとする。
（１）第１の実施形態
（１−１）測定装置の全体構成について
（１−２）光学系の構成について
（２）第２の実施形態
（２−１）光学系の構成について
（３）測定装置の適用例について
【００３４】
（第１の実施形態）
＜測定装置の全体構成について＞
まず、図１Ａ及び図１Ｂを参照しながら、本発明の第１の実施形態に係る測定装置の全体構成について、簡単に説明する。図１Ａ及び図１Ｂは、本実施形態に係る測定装置の全体構成を模式的に示した説明図である。
【００３５】
本実施形態に係る測定装置１は、図１Ａに示したように、任意の材質からなる筺体１１を有しており、筺体１１の一部には、開口部１３が設けられている。図１Ａにおいて、開口部１３の形状は円形状であるが、開口部１３の形状は円形状に限定されるわけではなく、多角形形状であっても、楕円形状であってもよい。この開口部１３の部分に測定対象物（例えば、人体の皮膚面等）が載置され、本実施形態に係る測定装置１は、載置された測定対象物に対して、測定を実施する。なお、開口部１３の貫通孔の大きさであるが、後述する光学系１００の有する受光素子の大きさに応じて、適宜決定すればよい。
【００３６】
図１Ｂは、図１ＡをＡ−Ａ切断線で切断した断面を示した断面図である。
図１Ｂに示したように、筺体１１の内部は中空となっており、筺体１１の内部に、本実施形態に係る測定装置１の光学系１００が実装されている。また、筺体１１の内壁は、光学系１００からの漏れ光の反射を抑制するために、黒、又は、黒に準ずる暗い色調の色とすることが好ましい。
【００３７】
ここで、筺体１１の内部に実装されている光学系１００については、以下で改めて詳細に説明する。また、図１Ｂでは、筺体１１の内部に光学系１００のみが存在するように図示されているが、筺体１１の内部には、光学系１００での測定処理に影響を与えない範囲で、光学系１００以外にも任意のユニットが実装されていてもよい。
【００３８】
＜光学系の構成について＞
続いて、図２を参照しながら、本実施形態に係る測定装置１が備える光学系について、詳細に説明する。図２は、本実施形態に係る測定装置が備える光学系の一例を示した説明図である。
【００３９】
図２上段は、本実施形態に係る光学系１００を、開口部１３の側から見た場合の平面図であり、図２下段は、本実施形態に係る光学系１００を、図２上段の中心線で切断した場合の断面図である。なお、図２に示した例では、開口部１３に人体の皮膚面Ｂが載置され、開口部１３に載置された皮膚面Ｂが測定対象領域となっている場合について説明する。
【００４０】
図２に示したように、本実施形態に係る光学系１００は、基板等の任意の形状を有する収容ユニットに配置された受光素子１０１と、基板等の任意の形状を有する収容ユニットに配置された複数の発光素子１０３と、を有している。
【００４１】
受光素子１０１には、測定対象物の載置された測定対象領域からの光（反射光）が結像される。受光素子１０１は、受光面に結像した光の光量等に応じて、結像した光の光量を表すデータ等を生成する。このような受光素子１０１として、例えばフォトダイオードを挙げることができるが、本実施形態に係る受光素子１０１は、上記のものに限定されるわけではなく、他の光センサを利用することも可能である。また、受光素子１０１は、受光面に結像した光の光量ではなく、結像した光の輝度値など他の物理量を計測するものであってもよい。
【００４２】
この受光素子１０１は、図２に示したように、測定装置１の筺体１１に設けられた開口部１３と対向するように配設される。換言すれば、受光素子１０１は、開口部１３と略平行に対峙するように配設される。また、受光素子１０１の大きさは、開口部１３として設けられた貫通孔に応じて適宜決定すればよく、例えば、１０ｍｍ×１０ｍｍ等の小型の光センサを利用することも可能である。このような小型のサイズの光センサを利用する場合には、開口部１３の大きさは、例えば１０ｍｍφとすることが好ましい。
【００４３】
図２上段に示したように、受光素子１０１の周囲には、複数の発光素子１０３が環状に配設されている。発光素子１０３として、例えば、発光ダイオード（ＬＥＤ）を利用することが可能である。
【００４４】
これらの発光素子１０３は、開口部１３の中心１０５を中心として、等間隔で均等に配置される。例えば、発光素子１０３は、開口部１３の中心１０５を中心として、（９０／Ｎ）°間隔で４Ｎ個（Ｎは、１以上の整数）配設される。受光素子１０１の周囲に配置する発光素子１０３の個数は、受光素子１０１の大きさや測定装置１自体の大きさ等に応じて適宜設定すればよいが、例えば、１８°間隔で２０個配置することが好ましい。
【００４５】
また、発光素子１０３が放射する光の波長は、測定対象物のどのような特徴を測定するのかに応じて適宜選択すればよいが、例えば、可視光帯域（４００ｎｍ〜７００ｎｍ程度）の光を放射可能な発光素子を用いることが好ましい。
【００４６】
これら複数の発光素子１０３は、図２下段に示したように、各発光素子１０３からの放射発光の中心線Ｌが測定対象領域の中心１０５を通過するように、測定対象領域の法線に対して傾けて配置される。また、各発光素子１０３からの放射発光の測定対象領域におけるスポットの大きさは、図２下段に示したように、開口部１３の大きさと略同一となる（ほぼ重なる）ことが好ましい。なお、図２下段では、放射発光の中心線Ｌと測定対象領域の法線とのなす角度をθと表記している。以下では、この角度θを、発光素子１０３の設置角度と称することとする。
【００４７】
発光素子１０３の設置角度は、測定対象領域と受光素子１０１との離隔距離（図２下段における距離ｄ）に応じて設定される。すなわち、上記離隔距離ｄが所定の閾値（例えば、２０ｍｍ）以下である場合、設置角度θを４５°とし、離隔距離が所定の閾値（例えば、２０ｍｍ）超過である場合、設置角度θを４５°未満（好ましくは、２０°〜３０°）とすることができる。
【００４８】
なお、測定装置の小型化を目的としないのであれば、測定対象領域と受光素子１０１との離隔距離は、いくらでも大きな値に設定することが可能であるが、本実施形態に係る測定装置１の場合、離隔距離ｄの上限を４０ｍｍ程度とすることが好ましい。
【００４９】
ここで、発光素子１０３の設置角度θと離隔距離ｄとの関係について、図３及び図４を参照しながら、具体的に説明する。図３及び図４は、設置角度θと受光素子で検出される反射光量との関係について示したグラフ図である。
【００５０】
まず、図３を参照する。図３は、図２に示した測定装置において測定対象領域と受光素子１０１との離隔距離ｄが２０ｍｍの場合に、開口部１３に白色拡散反射板を配置し、発光素子１０３から放射された光を反射させて受光素子１０１で反射光量を測定した結果を示したものである。なお、図３において、横軸は、発光素子の設置角度θを表し、縦軸は、白色拡散反射板を反射した光量１００％に対する反射率（％）を表している。
【００５１】
ここで、発光素子１０３からの放射光の波長は、５００ｎｍ、５４０ｎｍ、５８０ｎｍ、６２０ｎｍ、６６０ｎｍの５種類とし、各波長における反射率を測定した。
【００５２】
また、図３に示したグラフ図には、従来の分光測定装置で用いられる積分球を利用することで実測される上記５波長の反射率を、あわせて記載している。
【００５３】
積分球は、光を多角的に集光することで角度成分を積分及び平均化するものであるため、図３に示したように、測定される反射率に角度依存性はなく、測定結果は水平な線となる。他方、積分球を使用せずに、図２に示した光学系１００において設置角度θを変化させながら反射率を測定すると、その結果は、図３において実線で示したものとなった。図３から明らかなように、設置角度θを変化させながら測定した結果では、設置角度θに応じて測定される反射率の値が変化しており、測定される反射率には角度依存性が存在することがわかる。
【００５４】
このような図３において、設置角度θを変化させながら測定した結果と、積分球における反射率とが交わる点が重要となる。すなわち、このような交点に対応する設置角度θが、積分球を用いなくとも正しく測定可能な、発光素子の設置角度となる。
【００５５】
図３の場合、可視光帯域（４００ｎｍ〜７００ｎｍ）における５００ｎｍ、５４０ｎｍ、５８０ｎｍ、６２０ｎｍ、６６０ｎｍの波長に着目すると、これらの波長全てにおいて、積分球を用いて測定した結果と本実施形態に係る光学系１００での実測結果との交点は、±４５°であることがわかる。従って、本実施形態に係る光学系１００において、離隔距離ｄが２０ｍｍである場合には、設置角度θを４５°とすることが好ましい。
【００５６】
なお、図３に示した例では、離隔距離ｄが２０ｍｍの場合の測定結果について図示しているが、反射率の測定結果は、２０ｍｍ以外の例であっても、離隔距離ｄ≦２０ｍｍの範囲内では図３と同様の結果を示す。従って、本実施形態に係る光学系１００において、離隔距離ｄが２０ｍｍ以内である場合には、発光素子１０３の設置角度θを４５°とすることが好ましい。
【００５７】
次に、図４に着目する。図４は、図２に示した測定装置において測定対象領域と受光素子１０１との離隔距離ｄが２１ｍｍの場合に、開口部１３に白色拡散反射板を配置し、発光素子１０３から放射された光を反射させて受光素子１０１で反射光量を測定した結果を示したものである。なお、図４においても、横軸は、発光素子の設置角度θを表し、縦軸は、白色拡散反射板を反射した光量１００％に対する反射率（％）を表している。
【００５８】
図４から明らかなように、離隔距離ｄを２０ｍｍ超過とすると、本実施形態に係る光学系１００の反射率の角度依存性は、離隔距離ｄが２０ｍｍ以下の場合と比べて変化していることがわかる。その結果、積分球を用いて測定した結果との交点の位置は、離隔距離ｄ≦２０ｍｍの場合における±４５°よりも小さくなっていることがわかる。従って、離隔距離ｄが２０ｍｍ超過である場合には、発光素子１０３の設置角度θを４５°未満とすることが好ましい。また、図４を参照すると、着目している５つの波長において、設置角度θを、±２０°〜±３０°とすることが好ましいことがわかる。
【００５９】
このように、本実施形態に係る光学系１００では、積分球を用いて測定した場合の各波長の反射率に基づいて、発光素子１０３の設置角度θを決定する。これにより、本実施形態に係る光学系１００では、測定対象領域からの反射光を、より正確に測定することが可能となる。
【００６０】
再び図２に戻って、本実施形態に係る発光素子１０３について説明する。
本実施形態に係る発光素子１０３は、低い開口数の光を放射可能であることが好ましい。低い開口数の光は、発光素子１０３の発光自体により実現されていてもよく、発光素子に所定の集光レンズを組み合わせることで実現されていてもよい。ここで、発光素子１０３の放射発光の開口数は、図３及び図４等において、反射率の設置角度依存性を示す曲線が、積分球を用いて測定した反射率の測定結果と交差するように設定する。
【００６１】
図３及び図４に示した反射率の設置角度依存性は、開口数ＮＡ＝０．２である発光素子１０３を用いて測定した結果である。また、図５に示したグラフ図は、波長５４０ｎｍの光に着目し、発光素子の開口数を０．２及び０．３とした場合の反射率の測定結果を示している。図５から明らかなように、所定の閾値以上の大きな値としてしまうと、反射率の設置角度依存性を示す曲線は、積分球を用いて測定した反射率の測定結果と交差しなくなってしまう。従って、発光素子１０３の放射発光の開口数は、反射率の設置角度依存性を示す曲線が、積分球を用いて測定した反射率の測定結果と交差するように設定する。図３〜図５に示した例では、放射発光の開口数ＮＡを０．２以下とすることで、反射率の設置角度依存性を示す曲線は、積分球を用いて測定した反射率の測定結果と交差するようになり、適切な設置角度θを決定することが可能となる。
【００６２】
再び図２に戻って、本実施形態に係る発光素子１０３について更に説明する。
本実施形態に係る光学系１００は、先に説明したように、（９０／Ｎ）°間隔で４Ｎ個（Ｎは１以上の整数）の発光素子１０３を備えており、図２上段に示した例では、光学系１００は、１８°間隔で２０個の発光素子１０３を有している。
【００６３】
ここで、本実施形態に係る光学系１００では、相異なるＮ種類の波長の光を放射可能な発光素子が、波長ごとに４個ずつ設けられる。例えば、図２上段に示した例では、５種類の波長の光を放射可能な発光素子１０３Ａ〜１０３Ｅが、波長ごとに４個ずつ設けられている。この場合に、同一の波長の光を放射する発光素子１０３は、例えば９０°間隔で受光素子１０１の周囲に配置されている。これにより、開口部１３の中心１０５を中心として、同一の波長の光を放射する発光素子１０３が、点対称に配置されることとなる。
【００６４】
ここで、上記Ｎ種類の波長の光は、発光素子単独で提供されてもよく、所定波長の光を透過する光学フィルタと発光素子との組み合わせ（例えば、光学フィルタと白色発光素子との組み合わせ）により提供されてもよい。
【００６５】
また、複数の発光素子１０３により放射される光の波長の種類は、測定対象とする現象や物質に応じて決定すればよく、測定対象とする現象や物質を効率良く測定可能な波長（換言すれば、測定対象とする現象や物質に特徴的な波長）を適宜選択すればよい。例えば、人間の皮膚を測定対象とするのであれば、以下で説明するように、５００ｎｍ、５４０ｎｍ、５８０ｎｍ、６２０ｎｍ及び６６０ｎｍの波長を中心波長とする５種類の光を選択すればよい。
【００６６】
図６は、可視光波長帯域（４００ｎｍ〜７００ｎｍ）における人間の皮膚の反射率を測定した測定結果である。図６から明らかなように、人間の皮膚は、４００ｎｍ〜５００ｎｍ近傍の帯域では反射率がなだらかに増加し、その後６００ｎｍ近傍の帯域までは反射率がわずかに減少し、６００ｎｍ近傍から６５０ｎｍ近傍までは反射率が急激に増加する。
【００６７】
ここで、人間の皮膚を測定対象とする場合に、図６に示したような可視光波長帯域の全てに着目したのでは、可視光波長帯域全ての光を放射可能な光源が必要となり、また、各波長の光量を特定するために、回折格子等の分光素子が必要となってしまう。その結果、測定装置の小型化を図ることが困難となってしまうことが予想される。
【００６８】
そこで、本実施形態に係る測定装置１では、測定対象とする現象や物質に特徴的な波長をＮ種類選択することで、特殊な光源や分光素子を用いなくとも、測定対象とする現象や物質を効率良く測定することを実現するのである。例えば、図６に示した人間の皮膚の場合、スペクトルに特徴的な波長位置は、図７に示した５点である。そこで、本実施形態に係る測定装置１では、図７に示した５種類の波長に着目することで、人間の皮膚を効率良く測定する。なお、かかる５種類の波長は、人間の血中に存在する酸化ヘモグロビン、糖化ヘモグロビン、還元ヘモグロビン等の各種のヘモグロビンを測定対象とする場合にも有用な波長である。
【００６９】
なお、測定装置１が、測定対象とする現象や物質に特徴的な波長の光を全て照射することが可能な個数の発光素子を実装できない場合には、実装可能な発光素子の個数に応じて、特徴的な波長のうちのいくつかを選択すればよい。例えば、人間の皮膚を測定対象とする際に５×４＝２０個の発光素子を実装できない場合には、上記５種類の波長のうち、特徴的な波長から順に、波長を選択していけばよい。図６に示したスペクトルにおいて、最も特徴的な波長は、反射率が急峻に立ち上がる位置に該当する５８０ｎｍの波長である。従って、例えば３種類の波長しか選択できない場合には、まず５８０ｎｍの波長を選択して、その後、５００ｎｍと５４０ｎｍのどちらかの波長と、６２０ｎｍと６６０ｎｍのどちらかの波長とを選択すればよい。
【００７０】
ここで、人間の皮膚を測定対象とし、上記５種類の波長に着目する場合、５８０ｎｍを中心波長とする光の半値全幅を、５００ｎｍ、５４０ｎｍ、６２０ｎｍ及び６６０ｎｍを中心波長とする光の半値全幅よりも小さくすることが好ましい。具体的には、５８０ｎｍを中心波長とする光の半値全幅を１０ｎｍ〜２０ｎｍとし、５００ｎｍ、５４０ｎｍ、６２０ｎｍ及び６６０ｎｍを中心波長とする光の半値全幅を、３０ｎｍ〜５０ｎｍとすることが好ましい。その理由を、図６及び図８を参照しながら、具体的に説明する。
【００７１】
図６に示したように、人間の皮膚の反射率は、波長５８０ｎｍ付近で急峻に増加し、その他の波長帯域における反射率の変化は、比較的平坦である。従って、中心波長５８０ｎｍの反射率を正確に測定するためには、この中心波長の波長幅が、他の中心波長よりも狭いことが望ましい。
【００７２】
図８は、中心波長の半値全幅と、観測される反射率との関係を示したグラフ図である。このグラフ図は、中心波長が５００ｎｍ、５４０ｎｍ、５８０ｎｍ、６２０ｎｍ及び６６０ｎｍの光を半値全幅を変化させながら照射した際に観測される反射率を測定することで作製されたものである。図８を参照すると、中心波長５８０ｎｍの光は、半値全幅が２０ｎｍ以上となると、反射率が増大傾向にあることがわかる。他方、その他の波長の光は、半値全幅が３０ｎｍ以下であれば反射率に差異はなく、半値全幅が５０ｎｍ以下であっても、反射率の大きな変動はないことがわかる。この結果から、先に示したように、５８０ｎｍを中心波長とする光の半値全幅を１０ｎｍ〜２０ｎｍとし、５００ｎｍ、５４０ｎｍ、６２０ｎｍ及び６６０ｎｍを中心波長とする光の半値全幅を、３０ｎｍ〜５０ｎｍとすることが好ましいことがわかる。
【００７３】
以上説明したように、本実施形態に係る測定装置１の光学系１００では、４Ｎ個の発光素子１０３から測定対象領域に向かってＮ種類の波長の光が放射されるが、Ｎ種類の波長の照射タイミングをずらして、測定対象領域に対して光が照射されることが好ましい。例えば図９に示したように、１つのパルス波形が発光素子１０３に入力されることで発光素子１０３が所定波長の光を放射する場合に、Ｎ種類の波長を、時分割により、Ｎ個のパルス波形を用いて発光させることが好ましい。この際に、１回の照射で測定に十分な光量を確保するために、各波長λＮでは、パルス波形の幅を例えば１ミリ秒（ｍｓ）以上とすることが好ましい。また、異なる波長の光同士の混色を防止するために、ｔ番目の波長λｔに関するパルス波形の時間的位置と、ｔ＋１番目の波長λｔ＋１に関するパルス波形の時間的位置とは、例えば２ミリ秒以上とすることが好ましい。
【００７４】
以上説明したような時分割による発光制御を行うことで、Ｎ種類の波長の光が測定対象領域に対して順に照射され、各波長に対応する反射光が、受光素子１０１に結像することとなる。その結果、受光素子１０１では、各波長に対応する反射光の光量を正確に測定することが可能となる。
【００７５】
以上、図２〜図９を参照しながら説明したように、本実施形態に係る測定装置１では、Ｎ種類の波長の光を測定対象領域に対して順に照射し、各波長に対応する反射光を受光素子で測定することで、測定対象領域に載置された測定対象物の光学的な情報を取得することができる。また、測定対象とする現象や物体に特徴的な波長を予め選択しておいた上で測定を実施するため、本実施形態に係る測定装置１では、積分球や回折格子などといった光学ユニットが不要となり、装置の小型化を実現することができる。また、Ｎ種類の波長の光の光源として発光ダイオードを利用することが可能であるため、４Ｎ個の発光素子を実装する場合であっても、省電力化及び低コスト化を図ることが可能である。
【００７６】
（第２の実施形態）
本発明の第１の実施形態に係る測定装置１は、Ｎ種類の波長の光を互いに異なるタイミングで測定対象領域に対して照射し、測定対象領域に載置された測定対象物の測定を行うものであった。以下で説明する本発明の第２の実施形態に係る測定装置１は、４Ｎ個の発光素子が同時に同一の波長を有する光を測定対象領域に対して照射し、測定対象領域に載置された測定対象物の測定を行うものである。この際、第２の実施形態に係る測定装置１では、受光素子１０１の直前に光学フィルタを配設することで、着目するＮ種類の波長の選択を行っている。
【００７７】
＜光学系の構成について＞
本実施形態に係る測定装置１の外観は、図１Ａに示した第１の実施形態に係る測定装置１の外観と同様であるため、詳細な説明は省略する。以下では、まず、図１０を参照しながら、本実施形態に係る測定装置１が備える光学系１００の構成について、詳細に説明する。図１０は、本実施形態に係る測定装置が備える光学系の一例を示した説明図である。
【００７８】
図１０上段は、本実施形態に係る光学系１００を、開口部１３の側から見た場合の平面図であり、図１０下段は、本実施形態に係る光学系１００を、図１０上段の中心線で切断した場合の断面図である。なお、図１０に示した例においても、開口部１３に人体の皮膚面Ｂが載置され、開口部１３に載置された皮膚面Ｂが測定対象領域となっている場合について説明する。
【００７９】
本実施形態に係る光学系１００は、図１０に示したように、基板等の任意の形状を有する収容ユニットに配置された受光素子１０１と、基板等の任意の形状を有する収容ユニットに配置された複数の発光素子１０３と、を有している。また、受光素子１０１の受光面の上部（図１０下段におけるｚ軸正方向）には、光学フィルタ１１１及びコリメートレンズ１１３が設けられている。
【００８０】
受光素子１０１には、測定対象領域に載置された測定対象物からの反射光のうちコリメートレンズ１１３及び光学フィルタ１１１を透過した光が結像される。受光素子１０１は、受光面に結像した光の光量等に応じて、結像した光の光量を表すデータ等を生成する。このような受光素子１０１として、例えばフォトダイオードを挙げることができるが、本実施形態に係る受光素子１０１は、上記のものに限定されるわけではなく、他の光センサを利用することも可能である。
【００８１】
この受光素子１０１は、第１の実施形態と同様にして、測定装置１の筺体１１に設けられた開口部１３と対向するように配設される。
【００８２】
図１０上段に示したように、受光素子１０１の周囲には、互いに同一の発光特性を有する複数の発光素子１０３が、環状に配設されている。かかる発光素子１０３として、第１の実施形態と同様に、例えば発光ダイオードを利用することができる。
【００８３】
これらの発光素子１０３は、開口部１３の中心１０５を中心として、等間隔で均等に配置される。例えば、発光素子１０３は、開口部１３の中心１０５を中心として、（９０／Ｎ）°間隔で４Ｎ個（Ｎは、１以上の整数）配設される。受光素子１０１の周囲に配置する発光素子１０３の個数は、受光素子１０１の大きさや測定装置１自体の大きさ等に応じて適宜設定すればよいが、例えば、１８°間隔で２０個配置することが好ましい。
【００８４】
また、発光素子１０３が放射する光の波長は、測定対象物のどのような特徴を測定するのかに応じて適宜選択すればよいが、測定対象に特徴的な波長を包括する波長帯域の光を放射可能な発光素子１０３を用いることが好ましい。本実施形態に係る発光素子１０３として、例えば白色発光素子を利用することで、測定対象に特徴的な波長が可視光帯域（４００ｎｍ〜７００ｎｍ程度）内に存在するものを測定することができる。
【００８５】
これら複数の発光素子１０３は、図１０下段に示したように、各発光素子１０３からの放射発光の中心線Ｌが測定対象領域の中心１０５を通過するように、測定対象領域の法線に対して傾けて配置される。また、各発光素子１０３からの放射発光の測定対象領域におけるスポットの大きさは、図１０下段に示したように、開口部１３の大きさと略同一となる（ほぼ重なる）ことが好ましい。
【００８６】
また、発光素子１０３の設置角度θ及び開口数ＮＡについては、第１の実施形態において説明した基準により決定することが可能であり、第１の実施形態と同様の数値範囲とすることが好ましい。
【００８７】
これら複数の発光素子１０３は、上述のように同一の波長特性を有する光を放射するものであり、複数の発光素子１０３は同時に発光することが好ましい。そのため、例えば図１１に示したように、１つのパルス波形が発光素子１０３に入力されることで発光素子１０３が白色光を放射する場合に、Ｎ個のパルス波形を複数の発光素子１０３に同時に入力することで、複数の発光素子１０３を同時に発光させる。この際に、１回の照射で測定に十分な光量を確保するために、パルス波形の幅を例えば１ミリ秒（ｍｓ）以上とすることが好ましい。
【００８８】
ここで、本実施形態に係る測定装置１においても、測定対象とするもの（例えば、人間の皮膚面）に特徴的な波長に着目して測定処理を実施するわけであるが、以下の説明では、測定対象に特徴的な波長が、Ｎ個存在するものとする。かかる場合において、本実施形態に係る測定装置１の光学系１００は、同一の波長特性を有する（例えば、白色発光する）発光素子１０３からの発光が測定対象面により反射された反射光を利用して、Ｎ個の特徴的な波長について、光量等を測定する。
【００８９】
本実施形態に係る光学系１００では、白色光源を利用した反射光から、着目している波長の光を選択するために、図１０下段に示したように、光学フィルタ１１１を利用する。この光学フィルタ１１１は、着目している波長の個数の分だけ、受光素子１０１の受光面の上部に設けられる。本実施形態では、Ｎ種類の特徴的な波長に着目しているので、Ｎ種類の光学フィルタ１１１が用いられることとなる。
【００９０】
光学フィルタ１１１は、上記説明のように、特定の波長帯域の光を透過させる光学素子（例えば、バンドパスフィルタ）である。本実施形態に係る光学系１００では、測定対象に特徴的な波長として着目している波長帯域に応じて、光学フィルタ１１１を適宜選択することが可能である。本実施形態ではＮ種類の波長に着目しているため、Ｎ種類の波長それぞれを個別に透過させるＮ種類の光学フィルタ１１１が選択されることとなる。
【００９１】
ここで、各光学フィルタ１１１について、フィルタを透過する光の波長帯域の広さは、着目している波長の特性に応じて、適宜設定すればよい。
【００９２】
光学フィルタ１１１を透過した反射光は、受光素子１０１の特定の領域に結像することとなる。従って、本実施形態に係る測定装置１は、受光素子１０１と複数の光学フィルタ１１１のそれぞれとの位置関係を把握しておくことで、受光素子１０１のどの領域に結像した光が、どの波長帯域に該当する光であるのかを特定することができる。
【００９３】
また、測定対象面からの反射光（拡散反射光）を効率よく光学フィルタ１１１に入射させるために、光学フィルタ１１１の上流側（図１０下段においてｚ軸正方向側）に、ロッドレンズ等のコリメートレンズ１１３を配置してもよい。コリメートレンズ１１３に入射した拡散反射光は、コリメートレンズ１１３により平行光線となり、光学フィルタ１１１に入射することとなる。
【００９４】
次に、第１の実施形態と同様に、人間の皮膚面を測定対象とした場合を例に挙げて、本実施形態に係る光学系１００、特に、受光素子１０１及び光学フィルタ１１１、について、具体的に説明する。
【００９５】
図６及び図７等で説明したように、人間の皮膚面からの反射光で特徴的な波長は、５００ｎｍ、５４０ｎｍ、５８０ｎｍ、６２０ｎｍ及び６６０ｎｍの５種類である。そこで、かかる５種類の波長の光の光量等を測定するために、図１２の上段に示したように、受光素子１０１を５つの領域１０１Ａ〜１０１Ｅに区分する。これら５つの領域は、受光素子１０１において物理的に区分されていてもよく、仮想的に（処理の都合として）５つの領域に区分されているものであってもよい。受光素子１０１の５つの領域のうち、例えば領域１０１Ａが波長Ａの光が結像する領域となり、領域１０１Ｂが波長Ｂの光が結像する領域となる。ここで、受光素子１０１として１０ｍｍ×１０ｍｍの大きさのフォトダイオードを利用する場合には、このフォトダイオードを、２×１０ｍｍごとに５つの領域に区分することができる。
【００９６】
なお、図１２上段では、受光素子１０１として利用されるフォトダイオードが、短冊状に５つの領域に均等に区分された場合について図示しているが、領域の形状は、図１２に示したような矩形形状に限定されるわけではない。
【００９７】
このような５種類の受光領域に該当する波長の光が結像するように、図１２に示したように、光学フィルタ１１１として５種類のバンドパスフィルタが使用される。以下の説明では、波長Ａが中心波長５００ｎｍに対応するものとし、順に、波長Ｂが中心波長５４０ｎｍに対応し、波長Ｃが中心波長５８０ｎｍに対応し、波長Ｄが中心波長６２０ｎｍに対応し、波長Ｅが中心波長６６０ｎｍに対応するものとする。なお、この並び順は便宜的なものであって、どの領域がどの中心波長に対応するかは、適宜決定することができる。
【００９８】
これら５種類の光学フィルタ１１１は、図１０及び図１２の下段に示したように、受光面対応する領域の上部（例えば、直上）に配置される。これにより、例えば、領域１０１Ａの直上に設けられた光学フィルタ１１１に入射した白色反射光は、５００ｎｍを中心波長とした所定幅の光のみが光学フィルタ１１１を透過することとなり、領域１０１Ａには、５００ｎｍを中心波長とした所定幅の光が結像することとなる。なお、図１２では、図示の関係上、便宜的に受光素子１０１と光学フィルタ１１１との間に間隙を設けて図示しているが、光学フィルタ１１１は、受光素子１０１の直上に設けられてもよく、図示のように所定の間隙を空けて設けられてもよい。
【００９９】
また、光学フィルタ１１１の上部には、先に説明したように、拡散反射光をコリメートするためのコリメートレンズ１１３が適宜設けられる。
【０１００】
ここで、第１の実施形態において図６〜図８を参照しながら説明したように、人間の皮膚の反射率は、波長５８０ｎｍ付近で急峻に増加し、その他の波長帯域における反射率の変化は、比較的平坦である。従って、中心波長５８０ｎｍの反射率を正確に測定するために、各光学フィルタ１１１における透過帯域の幅を決定する際に、５８０ｎｍ用の光学フィルタの半値全幅を、５００ｎｍ、５４０ｎｍ、６２０ｎｍ及び６６０ｎｍ用の光学フィルタの半値全幅よりも小さくすることが好ましい。具体的には、５８０ｎｍ用の光学フィルタの半値全幅を１０ｎｍ〜２０ｎｍとし、５００ｎｍ、５４０ｎｍ、６２０ｎｍ及び６６０ｎｍ用の光学フィルタの半値全幅を、３０ｎｍ〜５０ｎｍとすることが好ましい。
【０１０１】
以上、図１０〜図１２を参照しながら、本実施形態に係る測定装置１について、詳細に説明した。本実施形態に係る測定装置１では、同一の波長特性を有する光を測定対象領域に対して同時に照射し、受光素子の前段に設けられた光学フィルタにより波長を選択することで、測定対象領域に載置された測定対象物の光学的な情報を取得することができる。また、測定対象とする現象や物体に特徴的な波長を予め選択しておいた上で測定を実施するため、本実施形態に係る測定装置１では、積分球や回折格子などといった光学ユニットが不要となり、装置の小型化を実現することができる。また、発光素子として発光ダイオードを利用することが可能であるため、４Ｎ個の発光素子を実装する場合であっても、省電力化及び低コスト化を図ることが可能である。
【０１０２】
＜測定装置の適用例について＞
続いて、図１３及び図１４を参照しながら、本発明の各実施形態に係る測定装置の適用例について、簡単に説明する。図１３及び図１４は、本発明の各実施形態に係る測定装置の適用例を説明するための説明図である。
【０１０３】
本発明の各実施形態に係る測定装置１は、例えば図１３に示したように、演算処理装置２００と組み合わせて使用することで、例えば、人間の皮膚の特定の波長での反射率を測定し、測定結果を評価する装置に適用することが可能である。
【０１０４】
例えば図１３に示した例では、本発明の各実施形態に係る測定装置１は、Ｎ種類の波長を有する光を人間の皮膚に照射して、人間の皮膚での反射光を受光素子１０１で受光する。その結果、受光素子１０１は、受光した反射光に関する測定情報を生成する。測定装置１は、受光素子１０１により生成された測定情報を、演算処理装置２００に対して出力する。
【０１０５】
演算処理装置２００の測定情報取得部２０１は、測定装置１により生成された測定情報（例えば、任意の肌反射スペクトルや特定の波長での反射率等の情報）を測定装置１から取得して、演算部２０３に出力する。
【０１０６】
演算部２０３は、測定情報取得部２０１が取得した測定情報に基づいて、例えばランベルト・ベールの法則等に則して演算を行って、人間の皮膚の内部に存在する、各種の物質の存在量等を算出する。
【０１０７】
人間の皮膚は、体表面に近い場所から、表皮、真皮、皮下組織という層構造になっている。また、人間の皮膚に対して照射され、表皮と真皮の界面で反射した反射光を用いることで、毛細血管中に存在するヘモグロビン等の存在量や濃度を測定することができる。
【０１０８】
ランベルト・ベールの法則は、物質の濃度は、測定の結果から得られた吸光度に比例するというものであり、吸光度は、測定した透過率の逆数の常用対数として定義される。また、吸光度は、物質に固有な吸光度係数と物質量との積としても表すことが可能であるため、結局、物理量は、以下の式１０１により算出することが可能である。
【０１０９】
物理量＝Ｌｏｇ（１／透過率）／吸光度係数・・・（式１０１）
【０１１０】
従って、演算部２０３は、測定装置１による測定結果と、上記式１０１等とに基づいて、着目している物質の存在量や濃度を算出することができる。
【０１１１】
演算処理装置２００は、演算部２０３により算出された演算結果をディスプレイ等に表示することで、着目している含有物質について、日々の測定結果の推移等をユーザに提供することが可能となる。
【０１１２】
図１４は、人間の体内におけるヘモグロビン代謝を概略的に示した説明図である。
ヘモグロビンは、血液中に存在する、４つのサブユニットからなるタンパク質の総称である。このヘモグロビンは、例えば肺から吸収された酸素と結合して、図１４に示したように、酸化ヘモグロビンとなり、体内の各所で酸素を放出して二酸化炭素と反応することで、還元ヘモグロビンとなる。また、肝臓等からグルコース等の単糖類が血中に放出されると、ヘモグロビンは、この単糖類と結合して糖化ヘモグロビンとなる。糖化ヘモグロビンも、体内の各所で結合している単糖類を放出して、還元ヘモグロビンとなる。放出された酸素や単糖類は、体内の各所においてエネルギーとして消費されることとなる。また、還元ヘモグロビンは、その寿命が到来するとビリルビンと呼ばれる化合物（Ｃ３３Ｈ３６Ｎ４Ｏ６）に分解され、肝臓によって代謝され、体外に排泄されることとなる。
【０１１３】
ここで、代謝経路中に存在する酸化ヘモグロビン、糖化ヘモグロビン及び還元ヘモグロビン等は、これらの物質が吸収する光の波長帯域が少しずつ異なるため、反射光中の特定の波長に着目することで、血液中の濃度を測定することができる。第１の実施形態及び第２の実施形態で示した５００ｎｍ、５４０ｎｍ、５８０ｎｍ、６２０ｎｍ及び６６０ｎｍの５種類の波長は、これらヘモグロビンの物質量を測定する際にも有用な波長帯域として機能する。従って、本発明の各実施形態に係る測定装置１を利用して上述の５種類の波長における反射率を測定することで、酸化ヘモグロビン、糖化ヘモグロビン及び還元ヘモグロビンの存在量や濃度を算出することができる。これらの含有物質の存在量等をユーザに提供することで、ユーザは、目的に合った健康管理や体調異常の監視を行うことが可能となる。
【０１１４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１５】
例えば、上記実施形態では、発光素子により低開口数（例えば、ＮＡ＝０．２程度）の光が放射される場合について説明したが、発光素子から放射される光を平行光とした後に利用してもよい。
【符号の説明】
【０１１６】
１    測定装置
１１    筺体
１３    開口部
１０１    受光素子
１０３    発光素子
１０５    開口部の中心
１１１    光学フィルタ
１１３    コリメートレンズ
２００    演算処理装置
２０１    測定情報取得部
２０３    演算部
２０５    記憶部
【図１Ａ】
2012063269.tif 000003
【図１Ｂ】
2012063269.tif 000004
【図２】
2012063269.tif 000005
【図３】
2012063269.tif 000006
【図４】
2012063269.tif 000007
【図５】
2012063269.tif 000008
【図６】
2012063269.tif 000009
【図７】
2012063269.tif 000010
【図８】
2012063269.tif 000011
【図９】
2012063269.tif 000012
【図１０】
2012063269.tif 000013
【図１１】
2012063269.tif 000014
【図１２】
2012063269.tif 000015
【図１３】
2012063269.tif 000016
【図１４】
2012063269.tif 000017